【手続補正書】
【提出日】平成18年4月17日(2006.4.17)
【手続補正１】
【補正対象書類名】特許請求の範囲
【補正対象項目名】全文
【補正方法】変更
【補正の内容】
【特許請求の範囲】
【請求項１】
多成分混合ガスに対し電気応答特性を示す化学／電気活性材料において、第１の温度で第１の感度を有する化学／電気活性材料の感度を増大させる方法であって、
化学／電気活性材料の温度を、化学／電気活性材料の感度が、第１の感度より大きい第２の感度まで増大する第２の温度まで上げるステップを含んでなり、
化学／電気活性材料の感度が、ΔＲ／ΔＣにより与えられる比であり、
ΔＲが、選択された温度で、多成分混合ガス中の成分ガスまたはガスのサブグループの濃度の変化の結果として、化学／電気活性材料が受ける、抵抗の変化、または、抵抗に比例する信号サイズの変化であり、
ΔＣが、成分ガスまたはガスのサブグループの濃度の変化である、
方法。
【請求項２】
多成分混合ガスに対し電気応答特性を示す化学／電気活性材料において、第１の温度で第１の安定性を有する化学／電気活性材料の電気応答特性の安定性を増大させる方法であって、
化学／電気活性材料の温度を、化学／電気活性材料の安定性が、第１の安定性より大きい第２の安定性まで増大する第２の温度まで上げるステップを含んでなり、
化学／電気活性材料の電気応答特性の安定性が、ΔＥ／Ｔにより与えられる比であり、
ΔＥが、選択された時間にわたる多成分混合ガスへの曝露の結果として生ずる、電気応答特性の定量化された値の変化、または電気応答特性に比例する信号サイズの変化であり、
Ｔが、選択された時間である、
方法。
【請求項３】
多成分混合ガスに対し電気応答特性を示す化学／電気活性材料において、電気応答特性の変化を検出する速度を増大させる方法であって、電気応答特性の変化が、第１の温度で第１の速度で検出され、
化学／電気活性材料の温度を、化学／電気活性材料の電気応答特性を検出する速度が、第１の速度より大きい第２の速度まで増大する第２の温度まで上げるステップを含んでなる、
方法。
【請求項４】
ガス状の成分を含む多成分混合ガスに対し電気応答特性を示す化学／電気活性材料において、ガス状の成分の第１の濃度で第１の感度を有する化学／電気活性材料の感度を増大させる方法であって、
ガス状の成分の濃度を、化学／電気活性材料の感度が、第１の感度より大きい第２の感度まで増大する第２の濃度まで減少させるステップを含んでなり、
化学／電気活性材料の感度が、ΔＲ／ΔＣにより与えられる比であり、
ΔＲが、選択された温度で、多成分混合ガス中の、成分ガスまたはガスのサブグループの濃度の変化の結果として、化学／電気活性材料が受ける、抵抗の変化、または、抵抗に比例する信号サイズの変化であり、
ΔＣが、成分ガスまたはガスのサブグループの濃度の変化である、
方法。
【手続補正２】
【補正対象書類名】明細書
【補正対象項目名】０１０７
【補正方法】変更
【補正の内容】
【０１０７】
本発明の装置に関連するより詳しい記載、装置の用途、および、装置を使用する方法は、２００２年４月５日出願の米国仮出願第６０／３７０，４４５号明細書、および、２００２年４月５日出願の米国特許出願第１０／１１７，４７２号明細書に見出すことができる。それぞれは全体として、すべての目的のために、本明細書の一部として援用される。
本発明の好適な実施の態様は次のとおりである。
１．多成分混合ガスに対し電気応答特性を示す化学／電気活性材料において、第１の温度で第１の感度を有する化学／電気活性材料の感度を増大させる方法であって、
化学／電気活性材料の温度を、化学／電気活性材料の感度が、第１の感度より大きい第２の感度まで増大する第２の温度まで上げるステップを含んでなり、
化学／電気活性材料の感度が、ΔＲ／ΔＣにより与えられる比であり、
ΔＲが、選択された温度で、多成分混合ガス中の成分ガスまたはガスのサブグループの濃度の変化の結果として、化学／電気活性材料が受ける、抵抗の変化、または、抵抗に比例する信号サイズの変化であり、
ΔＣが、成分ガスまたはガスのサブグループの濃度の変化である、
方法。
２．化学／電気活性材料の温度を、予め選択された期間の経過の後、上げる上記１に記載の方法。
３．第１の感度が、予め選択された定量化された値に等しくないことを決定するステップを更に含んでなる上記１に記載の方法。
４．混合ガス中の検体成分の、多成分混合ガス中の濃度が、予め選択された値に等しくないことを決定するステップを更に含んでなる上記１に記載の方法。
５．検体成分が、１種もしくはそれ以上の窒素酸化物である上記４に記載の方法。
６．電気応答特性が抵抗である上記１に記載の方法。
７．第１の温度が少なくとも４００Ｃである上記１に記載の方法。
８．化学／電気活性材料の温度を、２５℃超だけ上げる上記１に記載の方法。
９．化学／電気活性材料の温度を、５００℃以上の第２の温度まで上げる上記１に記載の方法。
１０．成分ガスが炭化水素である上記１に記載の方法。
１１．成分ガスが窒素酸化物である上記１に記載の方法。
１２．ガスのサブグループが窒素酸化物である上記１に記載の方法。
１３．多成分混合ガスに対し電気応答特性を示す化学／電気活性材料において、第１の温度で第１の安定性を有する化学／電気活性材料の電気応答特性の安定性を増大させる方法であって、
化学／電気活性材料の温度を、化学／電気活性材料の安定性が、第１の安定性より大きい第２の安定性まで増大する第２の温度まで上げるステップを含んでなり、
化学／電気活性材料の電気応答特性の安定性が、ΔＥ／Ｔにより与えられる比であり、
ΔＥが、選択された時間にわたる多成分混合ガスへの曝露の結果として生ずる、電気応答特性の定量化された値の変化、または電気応答特性に比例する信号サイズの変化であり、
Ｔが、選択された時間である、
方法。
１４．化学／電気活性材料の温度を、予め選択された期間の経過の後、上げる上記１３に記載の方法。
１５．第１の安定性が、予め選択された定量化された値に等しくないことを決定するステップを更に含んでなる上記１３に記載の方法。
１６．混合ガス中の検体成分の、多成分混合ガス中の濃度が、予め選択された値に等しくないことを決定するステップを更に含んでなる上記１３に記載の方法。
１７．検体成分が、１種もしくはそれ以上の窒素酸化物である上記１６に記載の方法。
１８．電気応答特性が抵抗である上記１３に記載の方法。
１９．第１の温度が少なくとも４００Ｃである上記１３に記載の方法。
２０．化学／電気活性材料の温度を、２５℃超だけ上げる上記１３に記載の方法。
２１．化学／電気活性材料の温度を、５００℃以上の第２の温度まで上げる上記１３に記載の方法。
２２．混合ガスが、１種もしくはそれ以上の炭化水素を含む上記１３に記載の方法。
２３．混合ガスが、１種もしくはそれ以上の窒素酸化物を含む上記１３に記載の方法。
２４．多成分混合ガスに対し電気応答特性を示す化学／電気活性材料において、電気応答特性の変化を検出する速度を増大させる方法であって、電気応答特性の変化が、第１の温度で第１の速度で検出され、
化学／電気活性材料の温度を、化学／電気活性材料の電気応答特性を検出する速度が、第１の速度より大きい第２の速度まで増大する第２の温度まで上げるステップを含んでなる、
方法。
２５．化学／電気活性材料の温度を、予め選択された期間の経過の後、上げる上記２４に記載の方法。
２６．第１の速度が、予め選択された定量化された値に等しくないことを決定するステップを更に含んでなる上記２４に記載の方法。
２７．混合ガス中の検体成分の、多成分混合ガス中の濃度が、予め選択された値に等しくないことを決定するステップを更に含んでなる上記２４に記載の方法。
２８．検体成分が、１種もしくはそれ以上の窒素酸化物である上記２７に記載の方法。
２９．電気応答特性が抵抗である上記２４に記載の方法。
３０．第１の温度が、少なくとも４００Ｃである上記２４に記載の方法。
３１．化学／電気活性材料の温度を、２５℃超だけ上げる上記２４に記載の方法。
３２．化学／電気活性材料の温度を、５００℃以上の第２の温度まで上げる上記２４に記載の方法。
３３．混合ガスが、１種もしくはそれ以上の炭化水素を含む上記２４に記載の方法。
３４．混合ガスが、１種もしくはそれ以上の窒素酸化物を含む上記２４に記載の方法。
３５．ガス状の成分を含む多成分混合ガスに対し電気応答特性を示す化学／電気活性材料において、ガス状の成分の第１の濃度で第１の感度を有する化学／電気活性材料の感度を増大させる方法であって、
ガス状の成分の濃度を、化学／電気活性材料の感度が、第１の感度より大きい第２の感度まで増大する第２の濃度まで減少させるステップを含んでなり、
化学／電気活性材料の感度が、ΔＲ／ΔＣにより与えられる比であり、
ΔＲが、選択された温度で、多成分混合ガス中の、成分ガスまたはガスのサブグループの濃度の変化の結果として、化学／電気活性材料が受ける、抵抗の変化、または、抵抗に比例する信号サイズの変化であり、
ΔＣが、成分ガスまたはガスのサブグループの濃度の変化である、
方法。
３６．ガス状の成分の濃度を、予め選択された期間の経過の後、減少させる上記３５に記載の方法。
３７．第１の感度が、予め選択された定量化された値に等しくないことを決定するステップを更に含んでなる上記３５に記載の方法。
３８．多成分混合ガス中のガス状の成分の濃度が、予め選択された値に等しくないことを決定するステップを更に含んでなる上記３５に記載の方法。
３９．ガス状の成分が、１種もしくはそれ以上の窒素酸化物である上記３５に記載の方法。
４０．電気応答特性が抵抗である上記３５に記載の方法。
４１．多成分混合ガス中のガス状の成分の濃度が、別のガスとの接触により減少する上記３５に記載の方法。